(57)【要約】【課題】音声認識サーバの負荷を軽減し、音声認識性能の低下を未然に回避する。【解決手段】車載端末１と音声認識サーバ４との間の通信回線に係る音響特性を車載端末１が補正する。音声認識サーバ４が各々の車載端末１との間の通信回線に係る音響特性を補正するために大量のデータベースを用意する必要がなく、音声認識サーバ４の負荷を軽減でき、また、音声認識サーバ４が車載端末１から受信された音声に対して音声認識を適切に行うことができ、所望の性能を得ることができ、音声認識性能が低下することを未然に回避できる。【選択図】　図１
2004029323.tif 000002
【特許請求の範囲】
【請求項１】
音声を通信回線を通じて音声認識サーバに送信する端末と、端末から受信された音声に対して音声認識を行う音声認識サーバとを備えた音声認識システムであって、
端末と音声認識サーバとの間の通信回線に係る音響特性を端末が補正することを特徴とする音声認識システム。
【請求項２】
請求項１に記載した音声認識システムにおいて、
音声認識サーバが音声を端末に送信し、端末が音声認識サーバから受信された音声を出力して当該出力された音声のうち入力された音声をループバック音声として音声認識サーバに送信し、音声認識サーバが端末から受信されたループバック音声を解析して端末と音声認識サーバとの間の通信回線に係る音響特性を表す補正データを生成して端末に送信し、端末が音声認識サーバから受信された補正データに基づいて端末と音声認識サーバとの間の通信回線に係る音響特性を補正することを特徴とする音声認識システム。
【請求項３】
請求項２に記載した音声認識システムにおいて、
音声認識サーバが電気的に合成されたテストパターンの音声を端末に送信し、端末がテストパターンの音声に基づいて生成された補正データに基づいて端末と音声認識サーバとの間の通信回線に係る音響特性を補正することを特徴とする音声認識システム。
【請求項４】
請求項２に記載した音声認識システムにおいて、
音声認識サーバがオペレータから発せられた音声を端末に送信し、端末がオペレータから発せられた音声に基づいて生成された補正データに基づいて端末と音声認識サーバとの間の通信回線に係る音響特性を補正することを特徴とする音声認識システム。
【請求項５】
端末から受信された音声に対して音声認識を行う音声認識サーバを備えた音声認識システムで用いられ、音声を通信回線を通じて音声認識サーバに送信する端末であって、
端末と音声認識サーバとの間の通信回線に係る音響特性を補正することを特徴とする端末。
【請求項６】
請求項５に記載した端末において、
音声認識サーバから音声を受信する音声受信手段と、
音声認識サーバから前記音声受信手段により受信された音声を出力する音声出力手段と、
前記音声出力手段から出力された音声を入力する音声入力手段と、
前記音声入力手段により入力された音声をループバック音声として音声認識サーバに送信するループバック音声送信手段と、
音声認識サーバから当該音声認識サーバにてループバック音声が解析されて生成された端末と音声認識サーバとの間の通信回線に係る音響特性を表す補正データを受信する補正データ受信手段と、
音声認識サーバから前記補正データ受信手段により受信された補正データに基づいて端末と音声認識サーバとの間の通信回線に係る音響特性を補正する音響特性補正手段とを備えたことを特徴とする端末。
【請求項７】
音声を通信回線を通じて音声認識サーバに送信する端末を備えた音声認識システムで用いられ、端末から受信された音声に対して音声認識を行う音声認識サーバであって、
音声を端末に送信する音声送信手段と、
端末から当該端末にて出力されて入力された音声をループバック音声として受信するループバック音声受信手段と、
端末から前記ループバック音声受信手段により受信されたループバック音声を解析して端末と音声認識サーバとの間の通信回線に係る音響特性を表す補正データを生成する補正データ生成手段と、
前記補正データ生成手段により生成された補正データを端末に送信する補正データ送信手段とを備えたことを特徴とする音声認識サーバ。
【請求項８】
端末から受信された音声に対して音声認識を行う音声認識サーバを備えた音声認識システムで用いられ、音声を通信回線を通じて音声認識サーバに送信する端末に、
音声認識サーバから音声を受信させる手順と、
音声認識サーバから受信された音声を出力させる手順と、
出力された音声を入力させる手順と、
入力された音声をループバック音声として音声認識サーバに送信させる手順と、
音声認識サーバから当該音声認識サーバにてループバック音声が解析されて生成された端末と音声認識サーバとの間の通信回線に係る音響特性を表す補正データを受信させる手順と、
音声認識サーバから受信された補正データに基づいて端末と音声認識サーバとの間の通信回線に係る音響特性を補正する手順とを実行させるためのコンピュータプログラム。
【請求項９】
音声を通信回線を通じて音声認識サーバに送信する端末を備えた音声認識システムで用いられ、端末から受信された音声に対して音声認識を行う音声認識サーバに、
音声を端末に送信させる手順と、
端末から当該端末にて出力されて入力された音声をループバック音声として受信させる手順と、
端末から受信されたループバック音声を解析して端末と音声認識サーバとの間の通信回線に係る音響特性を表す補正データを生成する手順と、
生成された補正データを端末に送信させる手順とを実行させるためのコンピュータプログラム。
【発明の詳細な説明】
【０００１】
【発明の属する技術分野】
本発明は、端末が音声を音声認識サーバに送信し、音声認識サーバが端末から受信された音声に対して音声認識を行う音声認識システム、前記音声認識システムで用いられる端末および音声認識サーバ、前記端末にて実行されるコンピュータプログラム、前記音声認識サーバにて実行されるコンピュータプログラムに関する。
【０００２】
【発明が解決しようとする課題】
従来より、端末が入力された音声を音声認識サーバに送信し、音声認識サーバが端末から受信された音声に対して音声認識を行う音声認識システムが供されている。一例として、端末が自動車に搭載される車載端末である場合を説明すると、車載端末は、乗員から発せられた例えば「経路検索」という音声が入力されると、入力された音声を電話網を通じて音声認識サーバに送信し、音声認識サーバは、車載端末から音声が受信されると、現在位置から目的地までに至る経路を検索（演算）し、検索結果を電話網を通じて車載端末に送信する。そして、車載端末は、音声認識サーバから検索結果が受信されると、受信された検索結果を表示する。これにより、乗員は、例えば「経路検索」という音声を発することにより、現在位置から目的地までに至る経路を認識することが可能となる。
【０００３】
ところで、この種の音声認識システムでは、音声認識サーバが車載端末から受信された音声に対して適切に音声認識を行えるように、車載端末と音声認識サーバとの間の通信回線に係る音響特性を補正する必要があり、従来のものは、車載端末と音声認識サーバとの間の通信回線に係る音響特性を音声認識サーバが補正する構成が一般的であった。
【０００４】
しかしながら、車載端末と音声認識サーバとの間の通信回線に係る音響特性を音声認識サーバが補正する従来の構成では、音声認識サーバが複数の車載端末と通信したり車載端末とはカテゴリが異なる携帯情報端末などの様々な端末と通信したりすることを想定すると、音声認識サーバが各々の端末との間の通信回線に係る音響特性を補正するために大量のデータベースを用意する必要があり、音声認識サーバの負荷が増大するという問題があった。また、データベースが用意されていないと、音声認識サーバが端末から受信された音声に対して音声認識を適切に行うことができなくなり、所望の性能を得ることができなくなり、音声認識性能が低下するという問題があった。
【０００５】
本発明は、上記した事情に鑑みてなされたものであり、その目的は、音声認識サーバが端末から受信された音声に対して音声認識を行うものにおいて、音声認識サーバの負荷を軽減することができ、また、音声認識性能が低下することを未然に回避することができる音声認識システム、端末、音声認識サーバおよびコンピュータプログラムを提供することにある。
【０００６】
【課題を解決するための手段】
請求項１に記載した音声認識システムによれば、端末が音声を通信回線を通じて音声認識サーバに送信し、音声認識サーバが端末から受信された音声に対して音声認識を行うものにおいて、端末と音声認識サーバとの間の通信回線に係る音響特性を端末が補正する。したがって、端末と音声認識サーバとの間の通信回線に係る音響特性を音声認識サーバが補正する従来のものとは異なって、音声認識サーバが各々の端末との間の通信回線に係る音響特性を補正するために大量のデータベースを用意する必要がなく、音声認識サーバの負荷を軽減することができ、また、音声認識サーバが端末から受信された音声に対して音声認識を適切に行うことができ、所望の性能を得ることができ、音声認識性能が低下することを未然に回避することができる。
【０００７】
請求項２に記載した音声認識システムによれば、音声認識サーバは、音声を端末に送信し、端末は、音声認識サーバから音声が受信されると、受信された音声を出力し、出力された音声のうち入力された音声をループバック音声として音声認識サーバに送信する。そして、音声認識サーバは、端末からループバック音声が受信されると、受信されたループバック音声を解析し、端末と音声認識サーバとの間の通信回線に係る音響特性を表す補正データを生成して端末に送信し、端末は、音声認識サーバから補正データが受信されると、受信された補正データに基づいて端末と音声認識サーバとの間の通信回線に係る音響特性を補正する。したがって、端末と音声認識サーバとの間の通信回線に係る音響特性を端末が補正する構成を、端末が音声認識サーバから受信された音声を出力し、出力された音声をループバック音声として入力して音声認識サーバに送信するという簡単な方法により実現することができる。
【０００８】
請求項３に記載した音声認識システムによれば、音声認識サーバは、電気的に合成されたテストパターンの音声を端末に送信し、端末は、テストパターンの音声に基づいて生成された補正データに基づいて端末と音声認識サーバとの間の通信回線に係る音響特性を補正する。したがって、音声認識サーバにより電気的に合成されたテストパターンの音声を利用し、端末と音声認識サーバとの間の通信回線に係る音響特性を端末が補正することができる。
【０００９】
請求項４に記載した音声認識システムによれば、音声認識サーバは、オペレータから発せられた音声を端末に送信し、端末は、オペレータから発せられた音声に基づいて生成された補正データに基づいて端末と音声認識サーバとの間の通信回線に係る音響特性を補正する。したがって、オペレータが配置されている場合であれば、オペレータから例えば端末を操作するユーザに対して操作方法を教えるために発せられた音声などを利用し、端末と音声認識サーバとの間の通信回線に係る音響特性を端末が補正することができ、つまり、端末と音声認識サーバとの間の通信回線に係る音響特性を端末が補正することのみを目的とする音声を用いることがなく、端末と音声認識サーバとの間の通信回線に係る音響特性を効率良く補正することができる。
【００１０】
請求項５に記載した端末によれば、端末から受信された音声に対して音声認識を行う音声認識サーバを備えた音声認識システムで用いられ、音声を通信回線を通じて音声認識サーバに送信するものにおいて、端末と音声認識サーバとの間の通信回線に係る音響特性を補正する。したがって、上記した請求項１に記載したものと同様にして、音声認識サーバが各々の端末との間の通信回線に係る音響特性を補正するために大量のデータベースを用意する必要がなく、音声認識サーバの負荷を軽減することができ、また、音声認識サーバが端末から受信された音声に対して音声認識を適切に行うことができ、所望の性能を得ることができ、音声認識性能が低下することを未然に回避することができる。
【００１１】
請求項６に記載した端末によれば、音声認識サーバから音声受信手段により音声が受信されると、音声出力手段は、受信された音声を出力し、音声出力手段から出力された音声が音声入力手段により入力されると、ループバック音声送信手段は、入力された音声をループバック音声として音声認識サーバに送信する。そして、音声認識サーバから当該音声認識サーバにてループバック音声が解析されて生成された端末と音声認識サーバとの間の通信回線に係る音響特性を表す補正データが補正データ受信手段により受信されると、音響特性補正手段は、受信された補正データに基づいて端末と音声認識サーバとの間の通信回線に係る音響特性を補正する。したがって、上記した請求項２に記載したものと同様にして、端末と音声認識サーバとの間の通信回線に係る音響特性を端末が補正する構成を、簡単な方法により実現することができる。
【００１２】
請求項８に記載したコンピュータプログラムによれば、当該コンピュータプログラムを、端末から受信された音声に対して音声認識を行う音声認識サーバを備えた音声認識システムで用いられ、音声を通信回線を通じて音声認識サーバに送信する端末にインストールして実行させると、音声認識サーバから音声を受信させる手順と、音声認識サーバから受信された音声を出力させる手順と、出力された音声を入力させる手順と、入力された音声をループバック音声として音声認識サーバに送信させる手順と、音声認識サーバから当該音声認識サーバにてループバック音声が解析されて生成された端末と音声認識サーバとの間の通信回線に係る音響特性を表す補正データを受信させる手順と、音声認識サーバから受信された補正データに基づいて端末と音声認識サーバとの間の通信回線に係る音響特性を補正する手順とを実行するようになるので、上記した請求項６に記載したものと同様の作用効果を得ることができる。
【００１３】
【発明の実施の形態】
以下、本発明の端末を自動車に搭載される車載端末に適用し、音声認識サーバが車載端末から受信された音声に対して音声認識を行う音声認識システムに適用した一実施例について、図面を参照して説明する。
【００１４】
まず、図１は、音声認識システムの全体構成を概略的に示している。車載端末１は、自動車２に搭載されており、自動車電話網や固定電話網などの各種の電話網から構成される電話網３を通じて音声認識サーバ４に音声を送信する。音声認識サーバ４は、周知のパーソナルコンピュータ端末を主体として構成されており、車載端末１から音声が受信されると、受信された音声に対して音声認識を行い、音声認識を行った結果に応じた処理を行う。
【００１５】
具体的な例を挙げると、自動車２に乗車している乗員が例えば「経路検索」という音声を発すると、車載端末１は、乗員から発せられた「経路検索」という音声を電話網３を通じて音声認識サーバ４に送信し、音声認識サーバ４は、車載端末１から「経路検索」という音声が受信されると、受信された音声が「経路検索」である旨を認識することにより、現在位置から目的地までに至る経路を検索（演算）し、検索結果を電話網３を通じて車載端末１に送信する。
【００１６】
そして、車載端末１は、音声認識サーバ４から検索結果が受信されると、受信された検索結果を表示する。これにより、乗員は、例えば「経路検索」という音声を発することにより、現在位置から目的地までに至る経路を認識することが可能となる。尚、図１では、地図上に現在位置（「自動車」の印にて示す位置）から目的地（「星」の印にて示す位置）までに至る経路が示された一例を概略的に示している。また、本発明でいう通信回線は、電話網３および関連する通信設備により構成されるものである。
【００１７】
また、音声認識サーバ４側には、オペレータが配置されており、オペレータは、音声認識サーバ４を操作することにより、必要な情報を乗員に提供することが可能となっている。具体的な例を挙げると、オペレータは、音声認識サーバ４から車載端末１に送信された検索結果を見ることが可能、つまり、車載端末１に表示された検索結果と同じ検索結果を見ることが可能となっており、検索結果を見ながら乗員を目的地まで案内するような例えば「次の交差点を右折して下さい」という音声を発すると、音声認識サーバ４は、オペレータから発せられた「次の交差点を右折して下さい」という音声を電話網３を通じて車載端末１に送信する。
【００１８】
そして、車載端末１は、音声認識サーバ４から「次の交差点を右折して下さい」という音声が受信されると、受信された「次の交差点を右折して下さい」という音声を出力する。これにより、乗員は、例えば「次の交差点を右折して下さい」という音声を聞くことにより、オペレータから適切な経路案内を受けることが可能となる。
【００１９】
図２は、上記した車載端末１の電気的な構成を機能ブロック図として示している。車載端末１は、制御プログラム（本発明でいうコンピュータプログラム）を実行するＣＰＵ（Ｃｅｎｔｒａｌ　Ｐｒｏｃｅｓｓｉｎｇ　Ｕｎｉｔ）５に、マイクロホン６（本発明でいう音声入力手段）、スピーカ７（本発明でいう音声出力手段）、音響特性制御部８（本発明でいう音響特性補正手段）、音声インタフェース部９、データインタフェース部１０、多重化部１１、通信部１２（本発明でいう音声受信手段、ループバック音声送信手段、補正データ受信手段）、記憶部１３、操作部１４および表示部１５を備えて構成されている。
【００２０】
マイクロホン６は、自動車２の車室内にあって自動車２に乗車している乗員が発した音声などを集音するのに適した位置に取付けられるもので、乗員が発した音声などが入力されると、入力された音声を音響特性制御部８に出力する。スピーカ７は、自動車２の車室内にあって自動車２に乗車している乗員が音声を聞取るのに適した位置に取付けられるもので、音響特性制御部８から音声が入力されると、入力された音声を外部に出力する。
【００２１】
音響特性制御部８は、車載端末１と音声認識サーバ４との間の通信回線に係る音響特性を補正し、最適な音響特性を決定するもので、マイクロホン６から音声が入力されると、入力された音声を当該決定された音響特性により制御して音声インタフェース部９に出力すると共に、音声インタフェース部９から音声が入力されると、入力された音声を当該決定された音響特性により制御してスピーカ７に出力する。尚、音響特性制御部８は、エコーキャンセラを備えて構成されている。
【００２２】
音声インタフェース部９は、マイクロホン６から音響特性制御部８を通じて音声が入力されると、入力された音声を送信処理して多重化部１１に出力すると共に、多重化部１１から音声が入力されると、入力された音声を受信処理して音響特性制御部８を通じてスピーカ７に出力する。データインタフェース部１０は、ＣＰＵ５からデータが入力されると、入力されたデータを送信処理して多重化部１１に出力すると共に、多重化部１１からデータが入力されると、入力されたデータを受信処理してＣＰＵ５に出力する。
【００２３】
多重化部１１は、音声インタフェース部９から音声を入力し、データインタフェース部１０からデータが入力されると、それら入力された音声とデータとを多重化し、音声とデータとが多重化された送信信号を通信部１２に出力すると共に、通信部１２から音声とデータとが多重化された受信信号が入力されると、入力された受信信号から音声とデータとを抽出し、音声を音声インタフェース部９に出力し、データをデータインタフェース部１０に出力する。通信部１２は、多重化部１１から送信信号が入力されると、入力された送信信号を電波により送信すると共に、受信信号を電波により受信すると、受信された受信信号を多重化部１１に出力する。
【００２４】
記憶部１３は、各種の情報を記憶可能に構成されている。操作部１４は、自動車２に乗車している乗員が操作するもので、幾つかのキー（ボタン）が配列されて構成されている。尚、この場合、操作部１４は、表示部１５に表示されたタッチパネル形式のキーから構成されるものであっても良い。表示部１５は、時刻、自動車２に乗車している乗員に警告を知らせるための表示ガイダンスおよび音声認識サーバ４から受信された表示情報（例えば地図情報など）などを表示する。
【００２５】
また、車載端末１は、通話モード或いは音声認識モードのいずれかを動作モードとして動作するようになっている。ここで、通話モードとは、自動車２に乗車している乗員とオペレータとが通話可能となるモードであり、一方、音声認識モードとは、音声認識サーバ４が車載端末１から受信された音声に対して音声認識を行うモードであり、自動車２に乗車している乗員とオペレータとが通話不可能となるモードである。
【００２６】
図３は、上記した音声認識サーバ４の電気的な構成を機能ブロック図として示している。音声認識サーバ４は、制御プログラム（本発明でいうコンピュータプログラム）を実行するＣＰＵを内蔵してなる本体１６（本発明でいう補正データ生成手段）、オペレータが発した音声を入力する音声入力装置１７、車載端末１から受信された音声を出力する音声出力装置１８、オペレータが操作する操作装置１９、各種の情報を表示する表示装置２０、車載端末１との間の通信処理を行う通信装置２１（本発明でいう音声送信手段、ループバック音声受信手段、補正データ送信手段）、各種の情報を記憶する記憶装置２２を備えて構成されている。そして、以上に説明した構成では、車載端末１と音声認識サーバ４とは、音声とデータとを同時に通信可能となっている。
【００２７】
次に、上記した構成の作用について、図４を参照して説明する。
まず、音声認識サーバ４は、車載端末１との間で通信回線を確立すると、音声認識サーバ４の種別を表すサーバ種別情報を車載端末１に送信する。車載端末１は、音声認識サーバ４からサーバ種別情報が受信された後に、乗員により音声認識サーバ４における音声認識の開始を指示する操作が行われると（ステップＳ１）、動作モードを通話モードから音声認識モードに変更する（ステップＳ２）。このとき、車載端末１は、音響特性制御部８におけるエコーキャンセラをオン状態からオフ状態に切替え、エコーキャンセル機能を無効にする。そして、車載端末１は、音声認識サーバ４における音声認識の開始を指示すべく音声認識開始指示を音声認識サーバ４に送信する。また、車載端末１は、車載端末１に固有な端末に係る音響特性を音声認識サーバ４に送信する。
【００２８】
音声認識サーバ４は、車載端末１から音声認識開始指示が受信され、車載端末１に固有な端末に係る音響特性が受信されると、受信された車載端末１に固有な端末に係る音響特性を記憶する（ステップＴ１）。そして、音声認識サーバ４は、テストパターンの音声を電気的に合成し（ステップＴ２）、合成されたテストパターンの音声を車載端末１に送信する。
【００２９】
車載端末１は、音声認識サーバ４からテストパターンの音声が受信されると、受信されたテストパターンの音声をスピーカ７から出力する（ステップＳ３）。そして、車載端末１は、出力されたテストパターンの音声をマイクロホン６により収集し（ステップＳ４）、マイクロホン６により入力された音声をループバック音声として音声認識サーバ４に送信する。
【００３０】
音声認識サーバ４は、車載端末１からループバック音声が受信されると、受信されたループバック音声を解析し、車載端末１と音声認識サーバ４との間の通信回線に係る音響特性を表す補正データを生成する（ステップＴ３）。そして、音声認識サーバ４は、生成された補正データを車載端末１に送信する。
【００３１】
車載端末１は、音声認識サーバ４から補正データが受信されると、受信された補正データに基づいて車載端末１と音声認識サーバ４との間の通信回線に係る音響特性を補正し、最適な音響特性を決定する（ステップＳ５）。そして、車載端末１は、車載端末１と音声認識サーバ４との間の通信回線に係る音響特性を記憶する（ステップＳ６）。以上に説明したようにして、車載端末１は、車載端末１と音声認識サーバ４との間の通信回線に係る音響特性を補正し、最適な音響特性を決定することになる。
【００３２】
そして、これ以降、車載端末１は、乗員から発せられた音声が入力されると、入力された音声を音声認識サーバ４に送信することになるが、このとき、入力された音声を先に説明したようにして決定された音響特性により制御して音声認識サーバ４に送信することになる。これに伴って、音声認識サーバ４は、車載端末１から音声が受信されると、受信された音声に対して音声認識を行う（ステップＴ４）。
【００３３】
そして、車載端末１は、乗員により音声認識サーバ４における音声認識の終了を指示する操作が行われると（ステップＳ７）、動作モードを音声認識モードから通話モードに変更する（ステップＳ８）。このとき、車載端末１は、音響特性制御部８におけるエコーキャンセラをオフ状態からオン状態に切替え、エコーキャンセル機能を有効にする。そして、車載端末１は、音声認識サーバ４における音声認識の終了を指示すべく音声認識終了指示を音声認識サーバ４に送信する。
【００３４】
ところで、以上は、音声認識サーバ４がテストパターンの音声を電気的に合成して車載端末１に送信し、車載端末１がテストパターンの音声に基づいて生成された補正データに基づいて車載端末１と音声認識サーバ４との間の通信回線に係る音響特性を補正し、最適な音響特性を決定する場合を説明したものであるが、音声認識サーバ４がオペレータから発せられた音声を入力して車載端末１に送信し、車載端末１がオペレータから発せられた音声に基づいて生成された補正データに基づいて車載端末１と音声認識サーバ４との間の通信回線に係る音響特性を補正し、最適な音響特性を決定することも可能である。また、音声認識サーバ４が例えばニュース、天気予報および株価情報などの音声配信サービスを提供可能な構成であれば、車載端末１が音声配信サービスの音声に基づいて生成された補正データに基づいて車載端末１と音声認識サーバ４との間の通信回線に係る音響特性を補正し、最適な音響特性を決定することも可能である。
【００３５】
そして、このような構成では、車載端末１と音声認識サーバ４との間の通信回線に係る音響特性を補正することのみを目的とするテストパターンの音声を用いることがなく、車載端末１と音声認識サーバ４との間の通信回線に係る音響特性を効率良く補正することが可能となる。
【００３６】
以上に説明したように本実施例によれば、音声認識システムにおいて、車載端末１と音声認識サーバ４との間の通信回線に係る音響特性を車載端末１が補正するように構成したので、音声認識サーバ４が各々の車載端末１との間の通信回線に係る音響特性を補正するために大量のデータベースを用意する必要がなく、音声認識サーバ４の負荷を軽減することができ、また、音声認識サーバ４が車載端末１から受信された音声に対して音声認識を適切に行うことができ、所望の性能を得ることができ、音声認識性能が低下することを未然に回避することができる。
【００３７】
本発明は、上記した実施例にのみ限定されるものではなく、以下のように変形または拡張することができる。
端末は、自動車に搭載される車載端末であれば、車室内に着脱可能な構成であっても良く、車室内に組込まれている（モジュール化されている）構成であっても良い。また、自動車に搭載される車載端末に限らず、人が携帯可能な携帯情報端末などであっても良い。
音声認識サーバ側にオペレータが配置されていない構成であっても良い。
車載端末において、通話モードと音声認識モードとの間で動作モードを変更することに応じて、ノイズキャンセラを制御する構成であっても良い。
【００３８】
車載端末のＣＰＵや音声認識サーバのＣＰＵが実行する制御プログラムは、最初（例えば製品化の段階）から記憶されているものに限らず、例えば特定のサーバからネットワークを通じてダウンロードされたり或いはＣＤ−ＲＯＭ（Ｃｏｍｐａｃｔ　Ｄｉｓｋ−Ｒｅａｄ　Ｏｎｌｙ　Ｍｅｍｏｒｙ）やカードなどの記録媒体から転送されてインストールされるものであっても良い。
【図面の簡単な説明】
【図１】本発明の一実施例の全体構成を概略的に示す図
【図２】車載端末の電気的な構成を示す機能ブロック図
【図３】音声認識サーバの電気的な構成を示す機能ブロック図
【図４】シーケンス図
【符号の説明】
図面中、１は車載端末（端末）、４は音声認識サーバ、６はマイクロホン（音声入力手段）、７はスピーカ（音声出力手段）、８は音響特性制御部（音響特性補正手段）、１２は通信部（音声受信手段、ループバック音声送信手段、補正データ受信手段）、１６は本体（補正データ生成手段）、２１は通信装置（音声送信手段、ループバック音声受信手段、補正データ送信手段）である。
【図１】
2004029323.tif 000003
【図２】
2004029323.tif 000004
【図３】
2004029323.tif 000005
【図４】
2004029323.tif 000006